(57)【要約】【課題】  一対のクランプ具の中心のズレを減少して、パイプの嵌挿を容易にする。【解決手段】  接続される２本のパイプＰ１、Ｐ２にそれぞれ装着される一対のクランプ具Ｋ１、Ｋ２と、一方のクランプ具Ｋ１に連結された一対の第１連結杆Ｒ１と、他方のクランプ具Ｋ２に連結されかつ前記各第１連結杆Ｒ１に長手方向相対移動可能に連結された第２連結杆Ｒ２と、前記第１、第２連結杆Ｒ１、Ｒ２の一方に枢支されたレバーＬと、前記第１、第２連結杆Ｒ１、Ｒ２の他方と前記レバーＬとの間に設けられていて前記レバーＬの揺動により前記第１、第２連結杆Ｒ１、Ｒ２の他方を前記一方側へ引き寄せるリンク３とを有する。【選択図】図１
2009299798.tif 000002
【特許請求の範囲】
【請求項１】
接続される２本のパイプ（Ｐ１、Ｐ２）にそれぞれ装着される一対のクランプ具（Ｋ１、Ｋ２）と、一方のクランプ具（Ｋ１）に連結された一対の第１連結杆（Ｒ１）と、他方のクランプ具（Ｋ２）に連結されかつ前記各第１連結杆（Ｒ１）に長手方向相対移動可能に連結された第２連結杆（Ｒ２）と、前記第１、第２連結杆（Ｒ１、Ｒ２）の一方に枢支されたレバー（Ｌ）と、前記第１、第２連結杆（Ｒ１、Ｒ２）の他方と前記レバー（Ｌ）との間に設けられていて前記レバー（Ｌ）の揺動により前記第１、第２連結杆（Ｒ１、Ｒ２）の他方を前記一方側へ引き寄せるリンク（３）とを有することを特徴とするパイプ接続装置。
【請求項２】
前記各第２連結杆（Ｒ２）に長手方向に沿って長溝（４）を形成し、前記各第１連結杆（Ｒ１）に第２連結杆（Ｒ２）の長溝（４）と係合して長手方向相対移動を案内するガイド部材（５）を設けるとともに第２連結杆（Ｒ２）との相対位置を固定するロック手段（６）を設けていることを特徴とする請求項１に記載のパイプ接続装置。
【請求項３】
前記各クランプ具（Ｋ１、Ｋ２）はパイプ（Ｐ）に当接する本体（７）と、前記パイプ（Ｐ）に巻き掛けてその両端が前記本体（７）に連結されるチェーン（８）と、前記本体（７）に設けられていてチェーン（８）を締め上げる締め付け手段（９）とを有し、前記本体（７）に前記第１、第２連結杆（Ｒ１、Ｒ２）の連結端を枢支連結していることを特徴とする請求項１又は２に記載のパイプ接続装置。
【発明の詳細な説明】
【技術分野】
【０００１】
本発明は、プラスチックパイプの端部同士を嵌挿接続するパイプ接続装置に関する。
【背景技術】
【０００２】
この種の従来技術においては、接続される２本のパイプにそれぞれクランプ具を装着し、一方のクランプ具に枢支連結されたレバーに他方のクランプ具に連結されたリンク及びワイヤを連結し、前記レバーを揺動してリンク及びワイヤを引き寄せることにより、一方のパイプの挿入端を他方のパイプの嵌合端に挿入して両者を接続するように構成されている（例えば、特許文献１参照。）。
【特許文献１】実公平０２−１７２６０号公報
【発明の開示】
【発明が解決しようとする課題】
【０００３】
前記従来技術は、一方のクランプ具に枢支連結されたレバーを他方のクランプ具に連結されたリンク及びワイヤと連結していて両クランプ具の心合わせを行う部材が存在しないので、両クランプ具の中心がズレ易く、接続するパイプに拗れが生じて嵌挿（嵌合・挿入）が困難になることがある。
本発明は、このような従来技術の問題点を解決できるようにしたパイプ接続装置を提供することを目的とする。
本発明は、一対のクランプ具に連結された連結杆同士を長手方向相対移動可能に連結しておくことにより、一対のクランプ具の中心のズレを減少して、パイプの嵌挿を容易にできるようにしたパイプ接続装置を提供することを目的とする。
【課題を解決するための手段】
【０００４】
本発明における課題解決のための具体的手段は、次の通りである。
第１に、接続される２本のパイプＰ１、Ｐ２にそれぞれ装着される一対のクランプ具Ｋ１、Ｋ２と、一方のクランプ具Ｋ１に連結された一対の第１連結杆Ｒ１と、他方のクランプ具Ｋ２に連結されかつ前記各第１連結杆Ｒ１に長手方向相対移動可能に連結された第２連結杆Ｒ２と、前記第１、第２連結杆Ｒ１、Ｒ２の一方に枢支されたレバーＬと、前記第１、第２連結杆Ｒ１、Ｒ２の他方と前記レバーＬとの間に設けられていて前記レバーＬの揺動により前記第１、第２連結杆Ｒ１、Ｒ２の他方を前記一方側へ引き寄せるリンク３とを有することを特徴とする。
【０００５】
第２に、前記各第２連結杆Ｒ２に長手方向に沿って長溝４を形成し、前記各第１連結杆Ｒ１に第２連結杆Ｒ２の長溝４と係合して長手方向相対移動を案内するガイド部材５を設けるとともに第２連結杆Ｒ２との相対位置を固定するロック手段６を設けていることを特徴とする。
第３に、前記各クランプ具Ｋ１、Ｋ２はパイプＰに当接する本体７と、前記パイプＰに巻き掛けてその両端が前記本体７に連結されるチェーン８と、前記本体７に設けられていてチェーン８を締め上げる締め付け手段９とを有し、前記本体７に前記第１、第２連結杆Ｒ１、Ｒ２の連結端を枢支連結していることを特徴とする。
［作用］
前記特徴を有するパイプ接続装置は次のような作用を奏する。
【０００６】
一方のクランプ具Ｋ１をパイプＰ１に装着し、他方のクランプ具Ｋ２をパイプＰ２に装着する。一方のクランプ具Ｋ１には第１連結杆Ｒ１が連結され、他方のクランプ具Ｋ２には第２連結杆Ｒ２が連結され、第１連結杆Ｒ１に枢支されたレバーＬを揺動すると、このレバーＬと他方のクランプ具Ｋ２との間に連結されたリンク３が引っ張られ、一方のクランプ具Ｋ１及び第１連結杆Ｒ１に対して他方のクランプ具Ｋ２及び第２連結杆Ｒ２が引き寄せられ、第１連結杆Ｒ１に対して第２連結杆Ｒ２が長手方向相対移動し、その案内を受けながらパイプＰ１とパイプＰ２とが略同心を維持しながら嵌挿される。
【０００７】
第１連結杆Ｒ１と第２連結杆Ｒ２とには、一方に長溝４が形成され、他方に長溝４と係合するガイド部材５が設けられ、長溝４とガイド部材５との係合により、長手方向相対移動が直線的となり、嵌挿時のパイプＰ１、Ｐ２の同心を確保でき、また、ロック手段６を作動することにより、嵌挿後のパイプＰ１、Ｐ２の固定を可能にする。
各クランプ具Ｋ１、Ｋ２はパイプＰをチェーン８で締め上げるので各種径のものに適用でき、パイプＰ１、Ｐ２が異径であっても、第１、第２連結杆Ｒ１、Ｒ２の連結端は本体７に枢支連結されていることによりパイプＰ１、Ｐ２の中心線に沿うように傾斜でき、パイプＰ１、Ｐ２の中心のズレを可及的に減少できる。
【発明の効果】
【０００８】
本発明によれば、一対のクランプ具の中心のズレを減少して、パイプの嵌挿を容易にできる。
【発明を実施するための最良の形態】
【０００９】
以下、本発明の実施の形態を図面に基づいて説明する。
図１〜４において、プラスチックパイプの端部同士（パイプＰとそれに嵌合するソケットの嵌合部との接続を含む。）を嵌合接続するパイプ接続装置１は大別して、一対のクランプ具Ｋ（Ｋ１、Ｋ２）と、両クランプ具Ｋに連結された一対の連結杆Ｒ（Ｒ１、Ｒ２）と、一方の連結杆Ｒに枢支されたレバーＬと、このレバーＬと他方の連結杆Ｒとの間に連結されたリンク３とを有する。
前記各クランプ具Ｋ１、Ｋ２は、パイプＰに当接する本体７と、前記パイプＰに巻き掛けてその両端が前記本体７に連結されるチェーン８と、前記本体７に設けられていてチェーン８を締め上げる締め付け手段９とを有する。
【００１０】
前記本体７は正面視逆Ｌ字形状で、側面視下向きコ字形状であり、中央にパイプＰと２点で当接する山形部７ａを有し、この山形部７ａから水平に延設された一対の肩部７ｂ、７ｂの内、一方の肩部７ｂは他方より高く形成され、この高い肩部７ｂに締め付け手段９が設けられ、低い肩部７ｂにチェーン係止部７ｃが形成されている。
前記締め付け手段９は、高い肩部７ｂに上下方向に挿通されたネジ杆９ａと、このネジ杆９ａに螺合したナット９ｂとを有し、前記ネジ杆９ａにチェーン８の一端が連結されている。
【００１１】
チェーン８はリンク８ａをピン８ｂで連結したもので、一端がネジ杆９ａに連結され、他端が自由端になっており、中途部から自由端側にかけてピン８ｂの両端がリンク８ａから突出している。
前記低い肩部７ｂのチェーン係止部７ｃは、側面視Ｌ字形状で平面視二股形状であり、この二股溝の間にリンク８ａを挿入してＬ字部にリンク８ａから突出しているピン８ｂの両端を引っ掛けるようになっている。
各クランプ具Ｋは、本体７の山形部７ａをパイプＰに上から宛がい、チェーン８をパイプＰの下側から回して、チェーン８の自由端側のピン８ｂをチェーン係止部７ｃに係止し、その後に締め付け手段９のナット９ｂを回動してネジ杆９ａを引っ張り、チェーン８を締め上げる。それにより各クランプ具ＫとパイプＰとは互いに固定装着される。
【００１２】
前記各クランプ具Ｋは更に、一対の肩部７ｂ、７ｂのそれぞれの一側面から下方へ腕部７ｄが突設されている。クランプ具Ｋ１の各腕部７ｄの外面にはボルト等で形成された第１枢支軸１２を介して第１連結杆Ｒ１の一端が枢支連結されており、クランプ具Ｋ２の各腕部７ｄの外面にはボルト等で形成された第２枢支軸１３を介して第２連結杆Ｒ２の一端が枢支連結されている。
前記第１、第２連結杆Ｒ１、Ｒ２は、パイプＰの直径方向両側でパイプＰの中心線に略沿って一対配置されるもので、自由端同士が水平状態で互いに重合しており、各第２連結杆Ｒ２の自由端側には長手方向に沿って長溝４が形成され、各第１連結杆Ｒ１の自由端側には２本のボルトで形成されたガイド部材５が設けられている。
【００１３】
前記ガイド部材５は２本のボルトにそれぞれローラ１４を嵌合して前記第２連結杆Ｒ２の長溝４に挿入されており、ガイド部材５と長溝４との係合案内によって、第１、第２連結杆Ｒ１、Ｒ２は長手方向に沿って直線的に相対移動可能になっている。
前記第１連結杆Ｒ１には２つのガイド部材５の中間位置にボルト等で形成されたネジ軸１６が螺合されており、このネジ軸１６は一対の第１連結杆Ｒ１に同心状に配置されている。この各ネジ軸１６は第２連結杆Ｒ２の長溝４を貫通し、その内端に二股状のレバーＬの各脚部Ｌａを枢支連結している。
【００１４】
レバーＬは二股状脚部Ｌａの中央にハンドル部Ｌｂを固着しており、ハンドル部Ｌｂを持ってネジ軸１６を中心に揺動自在である。前記各脚部Ｌａの中途部にはリンク３の一端がボルト等で形成された連結部材１７を介して枢支連結され、リンク３の他端は第２連結杆Ｒ２をクランプ具Ｋ２に連結する第２枢支軸１３に連結されている。
前記リンク３の他端は別途枢支軸を介してクランプ具Ｋ２に直接連結してもよいが、連結点は第２連結杆Ｒ２と同心であることが好ましく、レバーＬをネジ軸１６廻りに揺動することにより、リンク３は第１連結杆Ｒ１側に引っ張られ、第２連結杆Ｒ２を第１連結杆Ｒ１側へ引き寄せ、これによってクランプ具Ｋ２及びこれに固定されたパイプＰ２をクランプ具Ｋ１及びこれに固定されたパイプＰ１に近づけ、パイプＰ２をパイプＰ１に嵌合する。
【００１５】
前記ネジ軸１６はレバーＬをカラー１８を介して枢支しており、またこのカラー１８に更にスペースカラー１９を嵌合してレバーＬと第１連結杆Ｒ１との間の距離を設定している。
ネジ軸１６は第１連結杆Ｒ１に螺合しているので、回動することによりその頭部１６ａと第１連結杆Ｒ１とで第２連結杆Ｒ２を挟持することが可能になり、第２連結杆Ｒ２を挟持することにより、第１連結杆Ｒ１と第２連結杆Ｒ２との相対移動を規制して、両クランプ具Ｋ１、Ｋ２の間隔を固定できる。
【００１６】
即ち、ネジ軸１６はロック手段６を構成しており、パイプＰ１、Ｐ２を嵌挿した後に、それらを接着する接着剤が固化するまでの間、両パイプＰ１、Ｐ２を不動状態になるように両クランプ具Ｋ１、Ｋ２を間隔固定するのに使用する。
図１、２に示すパイプＰ１とパイプＰ２とは同一径であり、パイプＰ２の端部にパイプＰ１に嵌合する大径の嵌合部Ｐ２ａを有しており、これらの嵌挿作業は、先ずパイプＰ２にクランプ具Ｋ２を固定し、パイプＰ２の端部にパイプＰ１の端部を若干挿入し、その後にパイプＰ１にクランプ具Ｋ１を固定し、その状態でレバーＬを揺動して第１連結杆Ｒ１を第２連結杆Ｒ２側へ引き寄せ、クランプ具Ｋ１を介してパイプＰ１をパイプＰ２の嵌合部Ｐ２ａに挿入する。
【００１７】
同一径のパイプＰ同士を接続する以外に、パイプＰ２の嵌合部Ｐ２ａにクランプ具Ｋ２を固定する場合、パイプＰ２に嵌合部Ｐ２ａがなくてパイプＰ１と径が異なる場合、パイプＰ１にソケットの嵌合部を嵌合する場合等があり、このような場合においては、パイプＰ１、Ｐ２の中心線から各クランプ具Ｋの山形部７ａまでの距離が異なり、中心線に対する枢支軸１２、１３の位置が変化するが、各本体７に対して第１、第２連結杆Ｒ１、Ｒ２の枢支端（連結端）が揺動可能であることにより、第１、第２連結杆Ｒ１、Ｒ２はパイプＰ１、Ｐ２の中心線に可及的に沿うようになる。
【００１８】
先ずパイプＰ１にクランプ具Ｋ１を固定してパイプＰ２をパイプＰ１側へ移動するようにしてもよい。
レバーＬを１回揺動しただけでは嵌挿ストロークが十分でない場合には、一方のクランプ具Ｋを緩めかつレバーＬを戻り揺動させて、そのクランプ具Ｋの固定位置を変更してから再度嵌挿作業を行う。
各クランプ具ＫはパイプＰに完全な固定状態でなくとも、リンク３で互いに引き寄せるときに、クランプ具ＫがパイプＰに対して傾いて、相対移動しないようにロックされるので、嵌挿作業には支障は生じない。
【００１９】
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
例えば、レバーＬを長溝４の延長線上で第２連結杆Ｒ２に枢支し、かつリンク３をそのレバーＬと第１連結杆Ｒ１の連結端の第１枢支軸１２に連結してもよく、同一径パイプの接続専用とする場合は、クランプ具Ｋの本体７に対して第１、第２連結杆Ｒ１、Ｒ２を揺動しない状態に固定しておいてもよい。
【００２０】
また、ガイド部材５を２本のボルトの代わりに長溝４内に入るキー形状に形成してもよく、また、長溝４を形成せずに、ガイド部材５を第２連結杆Ｒ２の上下縁を摺動自在に案内するレール形状に形成してもよい。
更に、クランプ具Ｋはチェーン８の代わりにワイヤを用い、肩部７ｂにチェーン係止部７ｃの代わりにワイヤ留め具を設けてもよい。
【図面の簡単な説明】
【００２１】
【図１】本発明の実施の形態を示す正面図である。
【図２】同平面図である。
【図３】同側面図である。
【図４】使用状態の斜視図である。
【符号の説明】
【００２２】
１        パイプ接続装置
３        リンク
４        長溝
５        ガイド部材
６        ロック手段
７        本体
８        チェーン
９        締め付け手段
Ｐ        パイプ
Ｋ        クランプ具
Ｒ        連結杆
Ｌ        レバー  
【図１】
2009299798.tif 000003
【図２】
2009299798.tif 000004
【図３】
2009299798.tif 000005
【図４】
2009299798.tif 000006